【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
固体素子と、
前記固体素子をマウントするとともに電力の受供給を行う電力受供給部と、
前記固体素子を封止する、重量％で５５ｗｔ％〜６２ｗｔ％のＰ２Ｏ５と、５ｗｔ％〜１２ｗｔ％のＡｌ２Ｏ３と、２０ｗｔ％〜４０ｗｔ％のＺｎＯとを含むＰ２Ｏ５−Ａｌ２Ｏ３−ＺｎＯ系低融点ガラスからなるガラス封止部とを有することを特徴とする固体素子デバイス。
【請求項２】
前記低融点ガラスは、重量％でＢ２Ｏ３：５ｗｔ％以下、Ｌｉ２Ｏ：３ｗｔ％以下、Ｎａ２Ｏ：３ｗｔ％以下、Ｋ２Ｏ：３ｗｔ％以下、ＭｇＯ：５ｗｔ％以下、ＣａＯ：１０ｗｔ％以下、ＳｒＯ：１０ｗｔ％以下、ＢａＯ：２０ｗｔ％以下、Ｎｂ２Ｏ５：２０ｗｔ％以下、ＴｉＯ２：２０ｗｔ％以下、Ｂｉ２Ｏ３：２０ｗｔ％以下、Ｇｄ２Ｏ３：５ｗｔ％以下、ＷＯ３：５ｗｔ％以下、およびＺｒＯ２：５ｗｔ％以下の組成のうち少なくとも１つをさらに含むことを特徴とする請求項１に記載の固体素子デバイス。
【請求項３】
固体素子と、
前記固体素子をマウントするとともに電力の受供給を行う電力受供給部と、
前記固体素子を封止する、重量％で１９ｗｔ％〜３０ｗｔ％のＢ２Ｏ３と、０．５ｗｔ％〜１５ｗｔ％のＳｉＯ２と、１．５ｗｔ％〜８ｗｔ％のＮａ２Ｏと、４４ｗｔ％〜６０ｗｔ％のＺｎＯと、９ｗｔ％〜１９ｗｔ％のＮｂ２Ｏ５とを含むＢ２Ｏ３−ＳｉＯ２−Ｎａ２Ｏ−ＺｎＯ−Ｎｂ２Ｏ５系低融点ガラスからなるガラス封止部とを有することを特徴とする固体素子デバイス。
【請求項４】
前記低融点ガラスは、重量％でＡｌ２Ｏ３：５ｗｔ％以下、Ｌｉ２Ｏ：３ｗｔ％以下、Ｋ２Ｏ：４ｗｔ％以下、ＭｇＯ：５ｗｔ％以下、ＣａＯ：５ｗｔ％以下、ＳｒＯ：５ｗｔ％以下、ＢａＯ：５ｗｔ％以下、ＺｒＯ２：４ｗｔ％以下、ＴｉＯ２：４ｗｔ％以下の組成のうち少なくとも１つをさらに含むことを特徴とする請求項３に記載の固体素子デバイス。
【請求項５】
固体素子と、
前記固体素子をマウントするとともに電力の受供給を行う電力受供給部と、
前記固体素子を封止する、重量％で１ｗｔ％〜１０ｗｔ％のＳｉＯ２と、１５ｗｔ％〜３０ｗｔ％のＢ２Ｏ３と、２５ｗｔ％〜６０ｗｔ％のＺｎＯと、１０ｗｔ％〜５０ｗｔ％のＢｉ２Ｏ３と、２０ｗｔ％以下のＬａ２Ｏ３と、を含むＢ２Ｏ３−ＳｉＯ２−ＺｎＯ−Ｂｉ２Ｏ３−Ｌａ２Ｏ３系低融点ガラスからなるガラス封止部とを有することを特徴とする固体素子デバイス。
【請求項６】
前記低融点ガラスは、重量％でＧｄ２Ｏ３：２０ｗｔ％以下、Ｙ２Ｏ３：１０ｗｔ％以下、ＺｒＯ２：５ｗｔ％以下、Ｎｂ２Ｏ５：２０ｗｔ％以下、ＢａＯ：２０ｗｔ％以下、ＳｒＯ：２０ｗｔ％以下、ＣａＯ：２０ｗｔ％以下、ＴｉＯ２：２０ｗｔ％以下、Ｌｉ２Ｏ：３ｗｔ％以下、Ｎａ２Ｏ：３ｗｔ％以下、Ｋ２Ｏ：３ｗｔ％以下の組成のうち少なくとも１つをさらに含むことを特徴とする請求項５に記載の固体素子デバイス。
【請求項７】
固体素子と、
前記固体素子をマウントするとともに電力の受供給を行う電力受供給部と、
前記固体素子を封止する、重量％で１ｗｔ％〜１０ｗｔ％のＳｉＯ２と、１５ｗｔ％〜３０ｗｔ％のＢ２Ｏ３と、２５ｗｔ％〜６０ｗｔ％のＺｎＯと、１０ｗｔ％〜５０ｗｔ％のＢｉ２Ｏ３と、２０ｗｔ％以下のＮｂ２Ｏ５と、を含むＢ２Ｏ３−ＳｉＯ２−ＺｎＯ−Ｂｉ２Ｏ３−Ｎｂ２Ｏ５系低融点ガラスからなるガラス封止部とを有することを特徴とする固体素子デバイス。
【請求項８】
前記低融点ガラスは、重量％でＬａ２Ｏ３：２０ｗｔ％以下、Ｇｄ２Ｏ３：２０ｗｔ％以下、Ｙ２Ｏ３：１０ｗｔ％以下、ＺｒＯ２：５ｗｔ％以下、ＢａＯ：２０ｗｔ％以下、ＳｒＯ：２０ｗｔ％以下、ＣａＯ：２０ｗｔ％以下、ＴｉＯ２：２０ｗｔ％以下、Ｌｉ２Ｏ：３ｗｔ％以下、Ｎａ２Ｏ：３ｗｔ％以下、Ｋ２Ｏ：３ｗｔ％以下の組成のうち少なくとも１つをさらに含むことを特徴とする請求項７に記載の固体素子デバイス。
【請求項９】
固体素子と、
前記固体素子をマウントするとともに電力の受供給を行う電力受供給部と、
前記固体素子を封止する、重量％で２０ｗｔ％〜５０ｗｔ％のＢ２Ｏ３と、３０ｗｔ％〜７０ｗｔ％のＰｂＯとを含むＢ２Ｏ３−ＳｉＯ２−ＰｂＯ系低融点ガラスからなるガラス封止部とを有することを特徴とする固体素子デバイス。
【請求項１０】
前記固体素子は、１ｍｍ以上のサイズを有することを特徴とする請求項１から９のいずれか１項に記載の固体素子デバイス。
【請求項１１】
前記固体素子は、複数の固体素子を密実装した構成を有する請求項１から９のいずれか１項に記載の固体素子デバイス。
【請求項１２】
前記固体素子は、フリップ実装されることを特徴とする請求項１から１１のいずれか１項に記載の固体素子デバイス。
【請求項１３】
前記電力受供給部は、前記固体素子に対して電力の受供給を行う導電パターンを形成された無機材料基板であることを特徴とする請求項１から１２のいずれか１項に記載の固体素子デバイス。
【請求項１４】
前記無機材料基板は、前記固体素子をマウントする側に設けられる第１の導電パターンと、その裏面側に設けられる第２の導電パターンと、およびその両側を電気的に接続する第３の導電パターンとを有することを特徴とする請求項１３に記載の固体素子デバイス。
【請求項１５】
前記無機材料基板は、アルミナ基板であることを特徴とする請求項１３又は１４に記載の固体素子デバイス。
【請求項１６】
前記ガラス封止部は、表面に耐湿、耐酸、耐アルカリ性を付与するコーティング処理が施されていることを特徴とする請求項１から１３のいずれか１項に記載の固体素子デバイス。
【請求項１７】
前記固体素子は、光学素子であり、かつ、前記ガラス封止部は透光性材料であることを特徴とする請求項１から１４のいずれか１項に記載の固体素子デバイス。
【請求項１８】
前記光学素子は、発光素子であることを特徴とする請求項１７に記載の固体素子デバイス。
【請求項１９】
前記発光素子は、基板上にＧａＮ系半導体層を積層して形成されたＧａＮ系ＬＥＤ素子であることを特徴とする請求項１７に記載の固体素子デバイス。
【請求項２０】
前記光学素子は、受光素子であることを特徴とする請求項１７に記載の固体素子デバイス。
【請求項２１】
前記ガラス封止部は、表面を樹脂でオーバーモールドされていることを特徴とする請求項１から２０のいずれか１項に記載の固体素子デバイス。
【手続補正２】
【補正対象書類名】明細書
【補正対象項目名】００１０
【補正方法】変更
【補正の内容】
【００１０】
本発明は、上記目的を達成するため、固体素子と、前記固体素子をマウントするとともに電力の受供給を行う電力受供給部と、前記固体素子を封止する、重量％で５５ｗｔ％〜６２ｗｔ％のＰ２Ｏ５と、５ｗｔ％〜１２ｗｔ％のＡｌ２Ｏ３と、２０ｗｔ％〜４０ｗｔ％のＺｎＯとを含むＰ２Ｏ５−Ａｌ２Ｏ３−ＺｎＯ系低融点ガラスからなるガラス封止部とを有することを特徴とする固体素子デバイスを提供する。
【手続補正３】
【補正対象書類名】明細書
【補正対象項目名】００１１
【補正方法】変更
【補正の内容】
【００１１】
また、本発明は、上記目的を達成するため、固体素子と、前記固体素子をマウントするとともに電力の受供給を行う電力受供給部と、前記固体素子を封止する、重量％で１９ｗｔ％〜３０ｗｔ％のＢ２Ｏ３と、０．５ｗｔ％〜１５ｗｔ％のＳｉＯ２と、１．５ｗｔ％〜８ｗｔ％のＮａ２Ｏと、４４ｗｔ％〜６０ｗｔ％のＺｎＯと、９ｗｔ％〜１９ｗｔ％のＮｂ２Ｏ５とを含むＢ２Ｏ３−ＳｉＯ２−Ｎａ２Ｏ−ＺｎＯ−Ｎｂ２Ｏ５系低融点ガラスからなるガラス封止部とを有することを特徴とする固体素子デバイスを提供する。
【手続補正４】
【補正対象書類名】明細書
【補正対象項目名】００１２
【補正方法】変更
【補正の内容】
【００１２】
また、本発明は、上記目的を達成するため、固体素子と、前記固体素子をマウントするとともに電力の受供給を行う電力受供給部と、前記固体素子を封止する、重量％で１ｗｔ％〜１０ｗｔ％のＳｉＯ２と、１５ｗｔ％〜３０ｗｔ％のＢ２Ｏ３と、２５ｗｔ％〜６０ｗｔ％のＺｎＯと、１０ｗｔ％〜５０ｗｔ％のＢｉ２Ｏ３と、２０ｗｔ％以下のＬａ２Ｏ３と、を含むＢ２Ｏ３−ＳｉＯ２−ＺｎＯ−Ｂｉ２Ｏ３−Ｌａ２Ｏ３系低融点ガラスからなるガラス封止部とを有することを特徴とする固体素子デバイスを提供する。
【手続補正５】
【補正対象書類名】明細書
【補正対象項目名】００１３
【補正方法】変更
【補正の内容】
【００１３】
また、本発明は、上記目的を達成するため、固体素子と、前記固体素子をマウントするとともに電力の受供給を行う電力受供給部と、前記固体素子を封止する、重量％で２０ｗｔ％〜５０ｗｔ％のＢ２Ｏ３と、３０ｗｔ％〜７０ｗｔ％のＰｂＯとを含むＢ２Ｏ３−ＳｉＯ２−ＰｂＯ系低融点ガラスからなるガラス封止部とを有することを特徴とする固体素子デバイスを提供する。
【手続補正６】
【補正対象書類名】明細書
【補正対象項目名】００１４
【補正方法】変更
【補正の内容】
【００１４】
また、本発明は、上記目的を達成するため、固体素子と、前記固体素子をマウントするとともに電力の受供給を行う電力受供給部と、固体素子と、前記固体素子をマウントするとともに電力の受供給を行う電力受供給部と、前記固体素子を封止する、重量％で１ｗｔ％〜１０ｗｔ％のＳｉＯ２と、１５ｗｔ％〜３０ｗｔ％のＢ２Ｏ３と、２５ｗｔ％〜６０ｗｔ％のＺｎＯと、１０ｗｔ％〜５０ｗｔ％のＢｉ２Ｏ３と、２０ｗｔ％以下のＮｂ２Ｏ５と、を含むＢ２Ｏ３−ＳｉＯ２−ＺｎＯ−Ｂｉ２Ｏ３−Ｎｂ２Ｏ５系低融点ガラスからなるガラス封止部とを有することを特徴とする固体素子デバイスを提供する。